(57)【要約】【課題】操作レバーに誤って触れた場合でも不用意に釣竿が釣竿支持部から外れることを防止できる釣竿支持装置を提供する。【解決手段】本発明の一実施形態に係る釣竿支持装置は、釣竿を緊締固定するヘッド部を着脱自在に受ける受け部１５と、操作レバー１５ｂの動きによって前記ヘッド部を受け部１５に対して係脱自在に係止させるための係止手段と、操作レバー１５ｂの動きを規制するための規制手段とを有する。【選択図】図３
2011072274.tif 000002
【特許請求の範囲】
【請求項１】
所定の取付対象物に対して着脱自在に取り付け可能な基体と、該基体に装着され且つ釣竿を支持するための釣竿支持部とを有する釣竿支持装置において、
前記釣竿支持部は、釣竿を着脱自在に緊締固定するヘッド部と、前記基体側に固定され且つ前記ヘッド部を着脱自在に受ける受け部と、操作レバーの動きによってヘッド部を受け部に対して係脱自在に係止させるための係止手段と、前記操作レバーの動きを規制するための規制手段とを有することを特徴とする釣竿支持装置。
【請求項２】
前記規制手段は、前記受け部の外周に設けられ且つ受け部の軸方向に沿ってスライド自在な筒体を有し、該筒体は、操作レバーと係合して操作レバーの動きを規制する係合部を有することを特徴とする請求項１に記載の釣竿支持装置。
【請求項３】
前記係止手段は、操作レバーの動きによって移動してヘッド部に係止する係止体を有し、前記規制手段は、前記係止体の移動を規制することにより前記操作レバーの動きを規制することを特徴とする請求項１に記載の釣竿支持装置。
【請求項４】
前記規制手段は、前記操作レバーの動きを許容するための空間に挿脱自在に挿入されることにより前記空間を埋める楔部材であることを特徴とする請求項１に記載の釣竿支持装置。
【発明の詳細な説明】
【技術分野】
【０００１】
本発明は、船縁等の所定の取付対象物に対して取り付け可能な釣竿支持装置に関する。
【背景技術】
【０００２】
一般的に、船釣りをする際、釣竿を支持するための釣竿支持装置を船縁に装着することが行われている。従来の船縁に取り付け可能な釣竿支持装置は、コの字状の基体と、この基体に取り付けた釣竿支持部とを有しており、万力等のクランプ装置で基体を船縁に取り付け、魚のあたりを待つ間、釣竿支持部に釣竿を支持させている（例えば、特許文献１ないし特許文献３参照）。
【先行技術文献】
【特許文献】
【０００３】
【特許文献１】実公平６−３１９０５号公報
【特許文献２】実公平６−１６５１９号公報
【特許文献３】特開２００７−２３６３４９号公報
【発明の概要】
【発明が解決しようとする課題】
【０００４】
ところで、従来の釣竿支持装置、例えば特許文献１に開示される釣竿支持具は、釣竿を着脱自在に緊締固定する円筒状のシリンダ部と、基体側に固定された円柱状のピストン部とを有しており、釣竿支持具に釣竿をセットする際には、シリンダ部をピストン部に回動自在に挿入嵌合するとともに、操作レバーの回動操作によって爪部をシリンダ部の内側に対して突没させて該爪部をピストン部の凹溝に係止させることにより、シリンダ部をピストン部に対して装着する。これにより、シリンダ部を介して釣竿が釣竿支持具に支持される。
【０００５】
しかしながら、このように釣竿が釣竿支持具にセットされた状態であっても、釣竿を立てる動作や、釣竿を握る動作を行なう際に、誤って操作レバーに触れてしまう場合があり、それによって、釣竿が釣竿支持具から外れてしまう可能性がある。
【０００６】
本発明は、前記事情に着目してなされたものであり、その目的とするところは、操作レバーに誤って触れた場合でも不用意に釣竿が釣竿支持部から外れることを防止できる釣竿支持装置を提供することにある。
【課題を解決するための手段】
【０００７】
前記課題を解決するために、請求項１に記載の発明は、所定の取付対象物に対して着脱自在に取り付け可能な基体と、該基体に装着され且つ釣竿を支持するための釣竿支持部とを有する釣竿支持装置において、前記釣竿支持部は、釣竿を着脱自在に緊締固定するヘッド部と、前記基体側に固定され且つ前記ヘッド部を着脱自在に受ける受け部と、操作レバーの動きによってヘッド部を受け部に対して係脱自在に係止させるための係止手段と、前記操作レバーの動きを規制するための規制手段とを有することを特徴とする。
【０００８】
この請求項１に記載の発明によれば、操作レバーの動きを規制するための規制手段によって、受け部に対するヘッド部の係止状態を維持できるため、操作レバーに誤って触れた場合でも不用意に釣竿が釣竿支持部から外れることを防止できる。
【０００９】
また、請求項２に記載の発明は、請求項１に記載の発明において、前記規制手段は、前記受け部の外周に設けられ且つ受け部の軸方向に沿ってスライド自在な筒体を有し、該筒体は、操作レバーと係合して操作レバーの動きを規制する係合部を有することを特徴とする。
【００１０】
この請求項２に記載の発明によれば、請求項１に記載の発明と同様の作用効果が得られるとともに、筒体の係合部と操作レバーとの係合という簡単な手段で操作レバーの動きを効果的に規制することができる。また、釣竿支持部に大きな負荷が加わった場合でも、受け部が筒体によって補強されて受け部の変形が抑制されるため、操作レバーの動きを規制する規制力が強固に保たれ、請求項１の作用効果を更に促進できる。
【００１１】
また、請求項３に記載の発明は、請求項１に記載の発明において、前記係止手段は、操作レバーの動きによって移動してヘッド部に係止する係止体を有し、前記規制手段は、前記係止体の移動を規制することにより前記操作レバーの動きを規制することを特徴とする。
【００１２】
この請求項３に記載の発明によれば、請求項１に記載の発明と同様の作用効果が得られるとともに、操作レバーの動きによって移動する係止体の動きを規制することにより間接的に操作レバーの動きを規制するため、規制手段を操作レバーと直接に関連付けることが構造的に困難な場合に有益である。
【００１３】
また、請求項４に記載の発明は、請求項１に記載の発明において、前記規制手段は、前記操作レバーの動きを許容するための空間に挿脱自在に挿入されることにより前記空間を埋める楔部材であることを特徴とする。
【００１４】
この請求項４に記載の発明によれば、請求項１に記載の発明と同様の作用効果が得られるとともに、楔部材の挿入という極めて簡単な手段により操作レバーの動きを規制することができ、規制手段を安価に実現できる。
【発明の効果】
【００１５】
本発明によれば、操作レバーに誤って触れた場合でも不用意に釣竿が釣竿支持部から外れることを防止できる釣竿支持装置を提供できる。
【図面の簡単な説明】
【００１６】
【図１】船縁に取り付けた釣竿支持装置の全体構成を示す図である。
【図２】釣竿支持装置の内部構造を概略的に示す断面斜視図である。
【図３】本発明の第１の実施形態に係る規制手段を有する釣竿支持装置の受け部の概略図である。
【図４】本発明の第２の実施形態に係る規制手段を有する釣竿支持装置の受け部の概略図である。
【図５】本発明の第３の実施形態に係る規制手段を有する釣竿支持装置の受け部の概略図である。
【図６】本発明の第４の実施形態に係る規制手段を有する釣竿支持装置の受け部の概略図である。
【図７】本発明の第５の実施形態に係る規制手段を有する釣竿支持装置の受け部の概略断面図であり、（ａ）は非規制状態、（ｂ）は規制状態を示している。
【図８】本発明の第６の実施形態に係る規制手段の概略図である。
【図９】本発明の第７の実施形態に係る規制手段の概略図である。
【発明を実施するための形態】
【００１７】
以下、添付図面を参照して、本発明の実施形態について説明する。  
図１〜図３は本発明の第１の実施形態を示している。図１に示されるように、本実施形態の釣竿支持装置１は、取付対象物としての例えば船縁５０に取り付けられるように構成されており、実際に船縁５０に取り付けて固定される基体２と、基体２に装着され且つ釣竿１６０を支持する釣竿支持部１０とを備えて構成されている。
【００１８】
船縁５０は、船によって、或いは着座する位置によって形状が異なっており、図１に示すように水平方向の張出部５０ａがあれば、釣竿支持装置１は、後述するクランプ機構を上下方向に締め付けて取り付け、一方、水平方向の張出部５０ａがない場合や短い形状であれば、同クランプ機構を水平方向に締め付けて取り付けできる。
【００１９】
基体２は、縦フレーム２Ａと、横フレーム２Ｂと、クランプ支持フレーム２Ｃとを具備したコの字状に形成されており、クランプ支持フレーム２Ｃに装着（螺着）されたクランプ機構３を締め付けることで、基体２を船縁５０に締め付け、取り付けすることが可能となっている。このクランプ機構３は、公知の構成であり、縦フレーム２Ａと平行に延在するシャフト３ａの下端に装着された操作レバー３ｂを回転することで、シャフト３ａの上端の押圧部３ｃを横フレーム２Ｂに向けて進退させ、基体２を船縁５０の張出部５０ａや、船縁５０の側壁５０ｂに対して締め付け、取り付けすることが可能となる。
【００２０】
基体２の横フレーム２Ｂの上面には釣竿支持部１０が取り付けられている。この釣竿支持部１０は、基体２から取り外すことなく或いは取り外して、縦フレーム２Ａの上面に移動させて取り付けすることが可能となっている。
【００２１】
釣竿支持部１０は、釣竿１６０が載置されるＹ字状の竿掛け部１２と、釣竿１６０を着脱自在に緊締固定する釣竿緊締具としてのヘッド部１５ａと、ヘッド部１５ａを着脱自在に受ける筒状の受け部１５と、これら竿掛け部１２と受け部１５とを支持する台座１７（この台座１７により受け部１５が基体２側に固定される）とを有している。
【００２２】
竿掛け部１２は、台座１７に対して支軸２９を中心に上下に揺動してその位置を上下方向で調整可能に構成されている。また、受け部１５は、前述したように、台座１７に対して取り付けられており、釣竿１６０の元竿に取着されるヘッド部１５ａを着脱可能にしている。この場合、公知のように、操作レバー１５ｂを操作することで、受け部１５に対してヘッド部１５ａを着脱できるようになっている。具体的には、図２に示されるように、ヘッド部１５ａは、受け部１５の装着空間３４内に嵌挿される嵌挿部の外周に環状の凹溝３０を有している。また、受け部１５は、枢軸３１を介して受け部１５に回動可能に取り付けられる操作レバー１５ｂを有しており、操作レバー１５ｂの回動操作によって操作レバー１５ｂと一体の係止部（係止体）３３を受け部１５の側孔４３に挿通させて係止部３３を受け部１５の装着空間３４に対して突没させることにより、係止部３３をヘッド部１５ａの凹溝３０に係止させることができるようになっている。そして、凹溝３０と係止部３３との係止により、ヘッド部１５ａが受け部１５に対して装着固定され、受け部１５を介して釣竿１６０が釣竿支持装置１に支持される。つまり、本実施形態において、操作レバー１５ｂ、係止部３３、側孔４３、枢軸３１は、操作レバー１５ｂの動きによって移動する係止部３３をヘッド部１５ａに係止させることによりヘッド部１５ａを受け部１５に対して係脱自在に係止させるための係止手段６０を構成している。なお、本実施形態において、操作レバー１５ｂは、それを引き上げるように回動させることにより、凹溝３０と係止部３３との係止状態を解除できるようになっている。
【００２３】
また、本実施形態の釣竿支持装置１は、操作レバー１５ｂの動きを規制するための規制手段を有している。具体的に、この規制手段は、図３に示されるように、受け部１５の外周に設けられ且つ受け部１５の軸方向に沿ってスライド自在な筒体４０から成る。また、この筒体４０は、操作レバー１５ｂの一部、具体的には受け部１５の外周面と略面一な面を有する操作レバー１５ｂの部位５２と係合して操作レバー１５ｂの動きを規制する係合部としての内面４０ａを有する。
【００２４】
なお、この筒体４０は、受け部１５の外周面に螺合するリングであってもよく、あるいは、受け部１５の外周面にスライド自在に嵌着する弾性リング（例えばゴムリング）であってもよい。また、受け部１５の下部外周面には、筒体４０の脱落防止用の突起９０が設けられている。また、受け部１５および筒体４０は、例えば、受け部１５の外周面と筒体４０の内周面とを非円形嵌合したり或いは受け部１５の外周面および筒体４０の内周面に上下方向に延びるキー溝およびキーを設けてこれらを互いに係合することにより、互いに回転不能に嵌着されることが好ましい。
【００２５】
このような構成では、ヘッド部１５ａが受け部１５の装着空間３４内に嵌挿されてヘッド部１５ａの凹溝３０に係止部３３が係止された係止状態で、図３に二点鎖線で示される位置まで筒体４０を受け部１５に対して軸方向にスライドさせて（上方へ持ち上げて）筒体４０の内面４０ａと操作レバー１５ｂの部位５２とを係合させれば、操作レバー１５ｂの動きを径方向外側から（凹溝３０と係止部３３との係止状態を解除するための操作レバー１５ｂの回動（引き上げ回動）を阻止する方向から）抑えて規制できるため、受け部１５に対するヘッド部１５ａの係止状態を維持でき、操作レバー１５ｂに誤って触れた場合でも不用意に釣竿１６０が釣竿支持部１０から外れることを防止できる。
【００２６】
このように、本実施形態では、筒体４０の係合部（内面４０ａ）と操作レバー１５ｂとの係合という簡単な手段で操作レバー１５ｂの動きを効果的に規制することができる。また、釣竿支持部１０に大きな負荷が加わった場合でも、受け部１５が筒体４０によって補強されて受け部１５の変形が抑制されるため、操作レバー１５ｂの動きを規制する規制力が強固に保たれる。
【００２７】
図４は本発明の第２の実施形態を示している。本実施形態においても、操作レバー１５ｂの動きを規制する規制手段は、受け部１５の外周に設けられ且つ受け部１５の軸方向に沿ってスライド自在な筒体４０Ａから成る。この筒体４０Ａは、枢軸３１の近傍に位置する操作レバー１５ｂの外側露出部位５３と（操作レバー１５ｂの引き上げ回動を阻止する方向から）係合して操作レバー１５ｂの動きを規制する係合部４０ｂ（例えば、段差状の部位５３と係合する段部）を有する。なお、その他の構成形態は第１の実施形態の筒体４０と同じである。
【００２８】
したがって、この構成においても、ヘッド部１５ａが受け部１５の装着空間３４内に嵌挿されてヘッド部１５ａの凹溝３０に係止部３３が係止された係止状態で、図４に二点鎖線で示される位置まで筒体４０Ａを受け部１５に対して軸方向にスライドさせて（上方へ持ち上げて）筒体４０の係合部４０ｂと操作レバー１５ｂの部位５３とを係合させれば、操作レバー１５ｂの引き上げ回動を阻止できるため、受け部１５に対するヘッド部１５ａの係止状態を維持でき、操作レバー１５ｂに誤って触れた場合でも不用意に釣竿１６０が釣竿支持部１０から外れることを防止できる。
【００２９】
図５は本発明の第３の実施形態を示している。本実施形態では、第１の実施形態または第２の実施形態の筒体４０（４０Ａ）を受け部１５の軸方向に沿ってスライド移動させるための移動手段が受け部１５に設けられている。具体的には、この移動手段は、受け部１５の外周面のネジ部６１に螺合される昇降リング５５から成る。この場合、筒体４０（４０Ａ）は、昇降リング５５上に支持された状態で受け部１５の外周に嵌合される。したがって、この構成では、昇降リング５５を回転させれば、筒体４０（４０Ａ）を昇降させて操作レバー１５ｂに対して係脱させることができる。本実施形態の構成を採用すると、筒体４０（４０Ａ）のスライド動作を移動手段（昇降リング５５）によって簡単且つ確実に実現することが可能となり有益である。
【００３０】
図６は本発明の第４の実施形態を示している。本実施形態においても第３の実施形態と同様、第１の実施形態または第２の実施形態の筒体４０（４０Ａ）を受け部１５の軸方向に沿ってスライド移動させるための移動手段が受け部１５に設けられている。具体的に、この移動手段は、受け部１５の外周面に形成された傾斜段部を有する段差状の端面から成る。より具体的には、受け部１５の外周面は、下側平坦面６５と、上側平坦面６４と、これらの平坦面６４，６５を接続する一対の傾斜面６３，６３（図では片側の傾斜面しか見えない）とから成る。また、筒体４０（４０Ａ）の下端面にも、これらの面６３，６４，６５に対応して同様の下側平坦面４０ｄ、上側平坦面４０ｅ、一対の傾斜面４０ｃ，４０ｃが存在する。
【００３１】
したがって、このような構成では、筒体４０（４０Ａ）を受け部１５に対して一方向に回転させると、筒体４０（４０Ａ）の下側平坦面４０ｄが受け部１５の傾斜面６３に沿って乗り上がって受け部１５の上側平坦面６４上に達し、筒体４０（４０Ａ）の係合部４０ａ（４０ｂ）（図３および図４参照）が操作レバー１５ｂに係合する（図６の（ｂ）の状態）。一方、筒体４０（４０Ａ）を受け部１５に対して他方向に回転させる（元に戻す）或いは更に回転させると、筒体４０（４０Ａ）の下側平坦面４０ｄが受け部１５の傾斜面６３に沿って滑り落ちて受け部１５の下側平坦面６５上に達し、筒体４０（４０Ａ）の係合部４０ａ（４０ｂ）と操作レバー１５ｂとの係合状態が解除される（図６の（ａ）の状態）。したがって、本実施形態においても、第３の実施形態と同様の作用効果を得ることができる。
【００３２】
図７は本発明の第５の実施形態を示している。本実施形態では、受け部１５の外周にスライド自在に嵌合される規制手段としての筒体７０が、操作レバー１５ｂと別体の係止体１３３と係合して係止体１３３の移動を規制することにより、操作レバー１５ｂの動きが規制される。具体的には、操作レバー１５ｂは、枢軸３１，３２を介して受け部１５および係止体１３３に回動可能に取り付けられており、操作レバー１５ｂの回動操作によって係止体１３３を受け部１５の側孔内で例えばスライドさせて係止体１３３を受け部１５の内側空間（内孔）に対して突没させることにより、係止体１３３をヘッド部１５ａの凹溝３０に係止させることができるようになっている。そして、凹溝３０と係止体１３３との係止により、ヘッド部１５ａが受け部１５に対して装着固定され、受け部１５を介して釣竿１６０が釣竿支持装置１に支持される。また、受け部１５の外周には筒体７０が上下方向にスライド自在に同軸的に外嵌されている。受け部１５および筒体７０は、例えば、受け部１５の外周面と筒体７０の内周面とを非円形嵌合したり或いは受け部１５の外周面および筒体７０の内周面に上下方向に延びるキー溝およびキーを設けてこれらを互いに係合することにより、互いに回転不能に嵌着される。また、筒体７０は、係止体１３３と係脱可能に係合する係合部７２を有しており、この係合部７２は、操作レバー１５ｂの引き上げ回動を阻止する方向から係止体１３３と係合して操作レバー１５ｂの動きを規制することができる。また、受け部１５の外周面の下部には雄ネジが形成されており、この雄ネジには、操作ノブ７５ａを有する雌ネジ付きの昇降リング７５が螺着されている。そして、この昇降リング７５上に前記筒体７０が昇降可能に載置された状態となっている。
【００３３】
したがって、このような構成では、昇降リング７５を回動させて、筒体７０を図７の（ａ）の状態から図７の（ｂ）の状態まで上昇させることにより、筒体７０の係合部７２を係止体１３３と係合させることができ、それにより、操作レバー１５ｂの動きを規制できる。したがって、前述した実施形態と同様の作用効果を得ることができる。本構成は、操作レバー１５ｂの動きによって移動する係止体１３３の動きを規制することにより間接的に操作レバー１５ｂの動きを規制するため、規制手段を操作レバー１５ｂと直接に関連付けることが構造的に困難な場合に有益である。
【００３４】
図８は本発明の第６の実施形態を示している。本実施形態において、操作レバー１５ｂの動きを規制するための規制手段は、操作レバー１５ｂの動きを許容するための空間Ｓ（図では、操作レバー１５ｂの基部と受け部１５との間の隙間）に挿脱自在に挿入されることにより空間Ｓを埋める楔部材８２から成る。この場合、楔部材８２は、紛失しないように、紐やワイヤーなどの線状体８０によってヘッド部１５ａの例えば側壁部９９に接続されている。なお、本構成では、ヘッド部１５ａの形状と受け部１５の形状とが前述した各実施形態と逆になっている。すなわち、操作レバー１５ｂの係止部３３と係合する凹溝３０が受け部１５に設けられ、ヘッド部１５ａが筒状を成している。また、ヘッド部１５ａには釣竿１６０に着脱自在に緊締固定される緊締固定部９２が設けられている。
【００３５】
この構成では、楔部材８２を空間Ｓ内に挿入すると、操作レバー１５ｂの引き上げ回動が阻止される。このように、本実施形態では、楔部材８２の挿入という極めて簡単な手段により操作レバー１５ｂの動きを規制することができるため、規制手段を安価に実現できる。
【００３６】
図９は本発明の第７の実施形態を示している。本実施形態において、操作レバー１５ｂの動きを規制するための規制手段は、操作レバー１５ｂに回動可能に装着された規制片１９２から成る。この規制片１９２は、操作レバー１５ｂの収容溝９０内に収容される収容位置（図９に二点鎖線で示される位置）と、受け部１５の壁面９９と当接可能に収容溝９０から突出する突出位置（図９に実線で示される位置）との間で支軸９３を中心に回動できる。したがって、ヘッド部１５ａが受け部１５に装着されて受け部１５の凹溝３０に係止部３３が係止された係止状態で、係止片９２を突出位置に位置させておけば、係止片１９２がヘッド部１５の側壁部９９に当接することで操作レバー１５ｂの動きを規制できる。なお、それ以外の構成は第６の実施形態と同じである。
【符号の説明】
【００３７】
１  釣竿支持装置
２  基体
１０  釣竿支持部
１５ａ  ヘッド部
１５  受け部
１５ｂ  操作レバー
３３  係止部（係止体）
４０，４０Ａ，７０  筒体（規制手段）
４０ａ，４０ｂ，７２  係合部
５５  昇降リング（移動手段）
６０  係止手段
８２  楔部材
１９２  係止片（規制手段）
１３３  係止体
【図１】
2011072274.tif 000003
【図２】
2011072274.tif 000004
【図３】
2011072274.tif 000005
【図４】
2011072274.tif 000006
【図５】
2011072274.tif 000007
【図６】
2011072274.tif 000008
【図７】
2011072274.tif 000009
【図８】
2011072274.tif 000010
【図９】
2011072274.tif 000011